(57)【要約】【課題】画像形成装置の構成を変更することなく、規格や用途に合わせて簡便に排気のろ過におけるスペックを改善することが可能な空気ろ過装置の提供。【解決手段】第１の開口１１と、第２の開口１２と、前記第１の開口１１と前記第２の開口１２とを連絡する通気路１３と、を有する筐体１０と、前記第１の開口１１から前記第２の開口１２に向かう方向への気流を形成する気流形成部２０と、前記気流を構成する空気をろ過するろ過部３０と、を備えた空気ろ過装置１００。【選択図】図１
2018091880.tif 000002
【特許請求の範囲】
【請求項１】
第１の開口と、第２の開口と、前記第１の開口と前記第２の開口とを連絡する通気路と、を有する筐体と、
前記第１の開口から前記第２の開口に向かう方向への気流を形成する気流形成部と、
前記気流を構成する空気をろ過するろ過部と、を備えた空気ろ過装置。
【請求項２】
請求項１記載の空気ろ過装置において、
前記筐体の前記第２の開口側に設けられた排気ダクトを備え、
前記排気ダクトを回転させることにより、排気方向を変更可能である空気ろ過装置。
【請求項３】
請求項１または２に記載の空気ろ過装置において、
前記第１の開口が画像形成装置の排紙口からの排気を吸気する位置を占めるように、当該画像形成装置に装着されることを特徴とする空気ろ過装置。
【請求項４】
請求項３記載の空気ろ過装置において、
前記気流形成部は、前記画像形成装置の画像データ入力端子から電源を供給されることを特徴とする空気ろ過装置。
【請求項５】
請求項３または４に記載の空気ろ過装置において、
前記画像形成装置の、前記排紙口より上方かつ後方に装着され、前記画像形成装置に装着された状態で、前記画像形成装置を正面または上面から見たときの投影面積に収まる位置を占めることを特徴とする空気ろ過装置。
【発明の詳細な説明】
【技術分野】
【０００１】
本発明は、空気ろ過装置に関する。
【背景技術】
【０００２】
複合機やプリンタ等の画像形成装置において、使用時に発生する臭気やオゾン・粉塵等の化学エミッションを除去する構成を備えたものが知られている（例えば特許文献１参照）。
【０００３】
臭気や化学エミッションに対する要求仕様は、仕向地ごとの認可規格の違い等により異なっている。例えば、オフィス環境と飲食店や病院等の環境では、臭気に対する要求仕様は異なる。
また、同じ仕向地であっても、使用者の使用用途により要求仕様は異なる場合がある。
【０００４】
従来の画像形成装置においては、規格の厳しい仕向地の基準に合わせて製品スペックが決定されており、仕向地によってはオーバースペックとなっている場合があった。
また、量産中の機種において、市場より現状以上の仕様を要求された場合、容易には要求を満たすことが出来ないという問題があった。
【０００５】
かかる問題を解決するために、臭気を除去する必要がある場合とない場合とでフィルタの姿勢を変更する技術（例えば特許文献２参照）、臭気を除去する構成を後から取り付ける技術（例えば特許文献３参照）が提案されている。
しかし、前者の技術においては、臭気を除去する必要がある場合に操作部への入力が必要となり、後者の技術においては、臭気を除去する構成の追加にかなりの工数が必要となるため、いずれの技術においても、臭気を除去できる状態にする作業が煩雑であった。
【発明の概要】
【発明が解決しようとする課題】
【０００６】
本発明は、画像形成装置の構成を変更することなく、規格や用途に合わせて簡便に排気のろ過におけるスペックを改善することを目的とする。
【課題を解決するための手段】
【０００７】
上記目的を達成するため、第１の開口と、第２の開口と、前記第１の開口と前記第２の開口とを連絡する通気路と、を有する筐体と、前記第１の開口から前記第２の開口に向かう方向への気流を形成する気流形成部と、前記気流を構成する空気をろ過するろ過部と、を備えた空気ろ過装置にある。
【発明の効果】
【０００８】
本発明によれば、画像形成装置の構成を変更することなく、規格や用途に合わせて簡便に排気のろ過におけるスペックを改善することが可能となる。
【図面の簡単な説明】
【０００９】
【図１】本発明に係る空気ろ過装置の一例の斜視図である。
【図２】図１に示した空気ろ過装置の分解斜視図である。
【図３】図１に示した空気ろ過装置を装着可能な画像形成装置の一例の斜視図である。
【図４】図１に示した空気ろ過装置が装着された画像形成装置の断面斜視図である。
【図５】図１に示した空気ろ過装置が装着された画像形成装置の斜視図である。
【図６】図１に示した空気ろ過装置が装着された画像形成装置の背面からの斜視図である。
【発明を実施するための形態】
【００１０】
図１及び図２に、本発明に係る空気ろ過装置の一例を示す。
図１又は図２に示すように、空気ろ過装置１００は、第１の開口１１と、第２の開口１２と、第１の開口１１と第２の開口１２とを連絡する通気路１３と、を有する筐体１０を備えている。
【００１１】
空気ろ過装置１００はまた、第１の開口１１から第２の開口１２に向かう方向への気流を形成する気流形成部２０を備えている。
空気ろ過装置１００はまた、気流を構成する空気をろ過するろ過部３０を備えている。
空気ろ過装置１００はまた、第２の開口１２側に設けられた排気ダクト４０を備えている。
後述するように、空気ろ過装置１００は、画像形成装置に着脱自在に取り付け可能な外付け装置である。
【００１２】
気流形成部２０は、電動のファンモータを内蔵したファンである。気流形成部２０は、通電されると、空気を第１の開口１１から筐体１０内に吸い込んで、第２の開口１２から筐体１０外に排気する。
ろ過部３０はフィルタであり、臭気フィルタやオゾンフィルタ、揮発性有機化合物（ＶＯＣ）フィルタ、微粒子フィルタ等、使用用途によって変更することが可能となっている。
【００１３】
排気ダクト４０は、筐体１０に着脱自在であり、図１（ａ）と図１（ｂ）とに示すように、筐体１０に対して装着する方向を変更可能である。排気ダクト４０を筐体１０から取り外し、回転させて再度筐体１０に装着することで、排気方向を変更することが可能となっている。従って、デスクトップで画像形成装置を使用する場合等に、排気ダクト４０からの排気、すなわち第２の開口１２からの排気であって排気ダクト４０によって流れる向きを変更された排気が、顔や体に当たるのを防ぐことが可能となっている。また、排気ダクト４０が筐体１０に装着されたまま回転させることが可能な構成にしても良い。
【００１４】
図３に、図１に示した空気ろ過装置を装着可能な画像形成装置の一例を示す。
図３に示すように、画像形成装置５００は、画像形成装置本体５１０と、画像形成装置本体５１０の上部に設けられた画像読取部５２０とを備えている。
画像形成装置５００はまた、画像形成装置本体５１０と画像読取部５２０とで形成される胴内に設けられた排紙部５３０を備えている。
画像形成装置５００はまた、画像形成装置本体５１０に設けられ、画像形成済みの用紙などの記録媒体であるシートを排紙部５３０に向けて排出する排紙口５４０を備えている。
画像形成装置５００は、胴内排紙型の画像形成装置である。
【００１５】
図３等の各図において、矢印Ｘは画像形成装置５００の幅方向を、矢印Ｙは画像形成装置５００の前後方向を、矢印Ｚは画像形成装置５００の高さ方向を示している。各矢印は互いに直角をなしている。
【００１６】
図４〜図６は、空気ろ過装置１００が画像形成装置５００に装着された状態を示している。
図４又は図５に示すように、空気ろ過装置１００は、気流形成部２０の駆動時に、第１の開口１１が排紙部５３０の空気や排紙口５４０からの排気を吸気する位置を占めるように、画像形成装置５００に装着される。
【００１７】
空気ろ過装置１００はまた、排紙口５４０よりＹ方向後ろ側かつＺ方向上側に装着される。このような位置に装着されることにより、排紙口５４０からの排紙を妨げず、使用者が排紙されたシートを取り出す操作も妨げない。
【００１８】
空気ろ過装置１００はまた、画像形成装置５００に装着された状態で、画像形成装置５００をＹ方向前側又はＺ方向上側から見た時の投影面積に収まる位置を占める。画像形成装置５００をＹ方向前側から見た時の投影面積とは、ＸＺ平面に画像形成装置５００を投影した時の輪郭によって形成される設置面積をいう。また、画像形成装置５００をＺ方向上側から見た時の投影面積とは、ＸＹ平面に画像形成装置５００を投影した時の輪郭によって形成される設置面積をいう。空気ろ過装置１００は、両方の投影面積に収まる位置に装着されることが好ましい。このような位置に装着されることにより、外観が悪化することを防ぎ、画像形成装置５００の設置面積を拡大することも不要となっている。ただし、どちらか一方の投影面積に収まる位置に装着される場合であっても良い。
【００１９】
空気ろ過装置１００は、粘着テープやマジックテープ（登録商標）などの面ファスナー等によって画像形成装置５００に固定しても良いし、ネジやツメ等の構造を設けて固定しても良い。
【００２０】
気流形成部２０のファンモータは、画像形成装置５００のＵＳＢ端子等の画像データ入力端子から電源を供給される。空気ろ過装置１００は、ほぼ全ての画像形成装置に備えられている画像データ入力端子から電源供給可能であるため、仕向地、電源電圧、メーカーを問わず、どのような製品にも使用することが可能となっている。
【００２１】
その他、あらかじめ画像形成装置５００側の電源より出力できるようにポートを準備しておく方法によってファンモータに電源供給を行っても良い。また、画像形成装置５００より電源供給を行わない場合は、電池式や充電式のファンモータを使用することにより稼働させることが可能である。
【００２２】
以上のような構成の空気ろ過装置１００の動作について説明する。
画像形成装置５００は、シートに画像を形成し、画像形成済みのシートを排紙部５３０に排出する。シートが排紙部５３０に排出されると同時に、画像形成装置５００の内部で発生した臭気やその他の物質が排紙口５４０から画像形成装置本体５１０外に拡散し、排出されたシートからも臭気やその他の物質が発生する。
【００２３】
空気ろ過装置１００は、発生した物質を含む空気を気流形成部２０により吸気し、ろ過部３０を通すことによって発生した物質を捕集する。そして、図４において矢印Ａで示すように、浄化された空気が排気ダクト４０を通って外部に排気される。
【００２４】
特に、臭気は排出されたシートから発生する場合が多い。空気ろ過装置１００は、排紙部５３０の空気を捕集することが可能であるため、臭気の低減が図られる。
さらに、排気ファンを搭載していない画像形成装置の場合、排気の大部分は排紙口から排出されるため、排紙口からの排気を吸気することにより、臭気やその他の物質を効率よく捕集することが可能である。
【００２５】
以上本発明の好ましい実施の形態について説明したが、本発明はかかる特定の実施形態に限定されるものではなく、上述の説明で特に限定していない限り、特許請求の範囲に記載された本発明の趣旨の範囲内において、種々の変形・変更が可能である。
【００２６】
本発明の実施の形態に記載された効果は、本発明から生じる最も好適な効果を列挙したに過ぎず、本発明による効果は、本発明の実施の形態に記載されたものに限定されるものではない。
【符号の説明】
【００２７】
１０    筐体
１１    第１の開口
１２    第２の開口
１３    通気路
２０    気流形成部
３０    ろ過部
４０    排気ダクト
１００    空気ろ過装置
５００    画像形成装置
５１０    画像形成装置本体
５２０    画像読取部
５３０    排紙部
５４０    排紙口
【先行技術文献】
【特許文献】
【００２８】
【特許文献１】特許第４７６０６００号公報
【特許文献２】特開２０１３−１９０５２０号公報
【特許文献３】特許第５６１７２２３号公報
【図１】
2018091880.tif 000003
【図２】
2018091880.tif 000004
【図３】
2018091880.tif 000005
【図４】
2018091880.tif 000006
【図５】
2018091880.tif 000007
【図６】
2018091880.tif 000008